Podtech/llm-jp-corpus-v4-ja_patent huggingface dataset:
【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  ミックスが収納された可撓性を有する袋本体、及び、該袋本体の外側に設けられて当該袋本体との間に密閉空間を形成可能とされた可撓性を有する外層体とから成るミックス原料袋を保冷する保冷庫と、
前記ミックス原料袋から供給されたミックスを撹拌しながら冷却することにより冷菓を製造する冷却シリンダと、
前記保冷庫及び冷却シリンダを冷却する冷却装置と、
空気圧縮装置と、
前記ミックス原料袋の袋本体内と前記冷却シリンダ内とを連通するためのミックス供給通路と、
前記空気圧縮装置にて生成された圧縮空気を前記ミックス原料袋の外層体と袋本体との間に供給するための袋加圧通路と、
前記圧縮空気を前記冷却シリンダ内に供給するための空気供給通路と、
該空気供給通路に設けられた流路開閉手段と、
前記空気圧縮装置及び流路開閉手段を制御する制御手段とを備え、
前記ミックス供給通路と前記空気供給通路とを前記冷却シリンダ内に連通させると共に、前記制御手段は、前記冷却シリンダからの冷菓の抽出開始から遅延して前記流路開閉手段により前記空気供給通路を開放することを特徴とする冷菓製造装置。
【手続補正２】
【補正対象書類名】明細書
【補正対象項目名】０００９
【補正方法】変更
【補正の内容】
【０００９】
また、流路開閉手段の開放により空気供給通路からの圧縮空気によりミックス供給通路からのミックスの流入が阻止され、同時に当該空気供給通路から冷却シリンダ内に圧縮空気を供給されるので、支障無く冷菓のオーバーランが得られるものであるが、この場合にも制御手段は、冷却シリンダからの冷菓の抽出開始から遅延して流路開閉手段により空気供給通路を開放するので、袋本体からのミックスの補充も支障無く行われるものである。
【手続補正３】
【補正対象書類名】明細書
【補正対象項目名】００７７
【補正方法】変更
【補正の内容】
【００７７】
また、流路開閉手段の開放により空気供給通路からの圧縮空気によりミックス供給通路からのミックスの流入が阻止され、同時に当該空気供給通路から冷却シリンダ内に圧縮空気を供給されるので、支障無く冷菓のオーバーランが得られるものであるが、この場合にも制御手段は、冷却シリンダからの冷菓の抽出開始から遅延して流路開閉手段により空気供給通路を開放するので、袋本体からのミックスの補充も支障無く行われるものである。
【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  遊技の進行状況を遊技進行データによって管理する進行管理手段と、
前記遊技進行データを携帯通信端末によって受信可能な信号として送信するデータ送信手段と、
を備えたことを特徴とする遊技機。
【請求項２】  遊技開始時における遊技の進行度合いを表す開始データを前記携帯通信端末より受信するための開始データ受信手段を備え、
前記進行管理手段は、前記開始データ受信時点からの遊技の進行度合いを前記開始データへ加算することによって前記遊技進行データを算出することを特徴とする請求項１に記載の遊技機。
【請求項３】  前記開始データ受信手段は、前記開始データと共に個々の遊技機若しくは機種を識別可能な遊技機識別情報を受信し、
前記開始データ受信手段によって受信された遊技機識別情報が当該遊技機の遊技機識別情報と一致する場合に、前記開始データを用いて前記遊技進行データの算出を行うことを特徴とする請求項１又は２に記載の遊技機。
【請求項４】  前記携帯通信端末から送信要求信号を受信するための送信要求受信手段を備え、
前記データ送信手段は、前記送信要求受信手段による送信要求信号の受信に基づいて前記遊技進行データの送信を行うことを特徴とする請求項１乃至３のいずれかに記載の遊技機。
【請求項５】  前記進行管理手段は、特定の遊技状態の累積発生回数を表すデータを前記遊技進行データとして用いることを特徴とする請求項１乃至４のいずれかに記載の遊技機。
【請求項６】  前記進行管理手段によって管理される遊技の進行状況に応じた演出を行うように構成されたことを特徴とする請求項１乃至５のいずれかに記載の遊技機。
【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】
遊技球を発射する発射手段と、
前記発射手段を制御する発射制御手段と、
発射された遊技球が案内される遊技領域と、
前記遊技領域において、遊技球が入球可能な少なくとも１つの入球手段と、
前記入球手段への遊技球の入球に基づき所定数の遊技球を賞球として払出す払出手段と、
前記払出手段から払出された遊技球を貯留しかつ前記発射手段へ案内する貯留手段とを備えた遊技機であって、
遊技球の払出数を計数する計数手段と、
単位時間内における遊技球の払出数を判別する払出数判別手段と、
前記払出数判別手段の判別結果に基づき、遊技球の発射間隔を調整する発射間隔調整手段とを備え、
単位時間内に払出される遊技球の数に応じて、遊技球の発射間隔を変化させることを特徴とする遊技機。
【請求項２】
遊技球の発射間隔に関する発射間隔情報を複数種記憶する発射間隔記憶手段を備え、
前記発射間隔調整手段が、前記判別結果に基づいて前記複数の発射間隔情報の中から所定の発射間隔情報を選出し、
前記発射制御手段が、前記選出された発射間隔情報に基づいて前記発射手段を制御することを特徴とする請求項１に記載の遊技機。
【請求項３】
前記発射間隔調整手段は、前記判別結果に基づき、前記単位時間内における遊技球の払出数が特定数以上となった場合には、遊技球の発射間隔を前記払出数の判別時における発射間隔よりも短くし、前記特定数より少なくなった場合には、遊技球の発射間隔を前記払出数の判別時における発射間隔よりも長くすることを特徴とする請求項１又は２に記載の遊技機。
【請求項４】
前記特定数を複数設定し、
単位時間内に払出される遊技球の数が少ないほど、遊技球の発射間隔を長くすることを特徴とする請求項３に記載の遊技機。
【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】  光透過性支持体の片面に少なくとも１層のインク受容層を設け、反対面に少なくとも１層の裏塗り層を設けたインクジェット記録材料において、該裏塗り層が一次粒子の平均粒径５〜５０ｎｍの無機微粒子とバインダーを含有し、空隙率が７０容量％以下であることを特徴とするインクジェット記録材料。
【手続補正２】
【補正対象書類名】明細書
【補正対象項目名】００１２
【補正方法】変更
【補正の内容】
【００１２】
（１）光透過性支持体の片面に少なくとも１層のインク受容層を設け、反対面に少なくとも１層の裏塗り層を設けたインクジェット記録材料において、該裏塗り層が一次粒子の平均粒径５〜５０ｎｍの無機微粒子とバインダーを含有し、空隙率が７０容量％以下であることを特徴とするインクジェット記録材料。
【手続補正３】
【補正対象書類名】明細書
【補正対象項目名】００１８
【補正方法】変更
【補正の内容】
【００１８】
（７）前記裏塗り層の無機微粒子がシラノール基が５個／ｎｍ2以上の湿式法シリカであることを特徴とする前記１〜６の何れか１項に記載のインクジェット記録材料。
【手続補正４】
【補正対象書類名】明細書
【補正対象項目名】００２１
【補正方法】変更
【補正の内容】
【００２１】
（１０）前記裏塗り層の固形分量が１〜１０ｇ／ｍ2であることを特徴とする前記１〜９の何れか１項に記載のインクジェット記録材料。
【手続補正５】
【補正対象書類名】明細書
【補正対象項目名】００５６
【補正方法】変更
【補正の内容】
【００５６】
また、カチオン性化合物として、無機系の含アルミニウムカチオンポリマーである塩基性ポリ水酸化アルミニウム化合物が挙げられる。塩基性ポリ水酸化アルミニウム化合物とは、主成分が下記の式１、２又は３で示され、例えば［Ａｌ6（ＯＨ）15］3+、［Ａｌ8（ＯＨ）20］4+、［Ａｌ13（ＯＨ）34］5+、［Ａｌ21（ＯＨ）60］3+、等のような塩基性で高分子の多核縮合イオンを安定に含んでいる水溶性のポリ水酸化アルミニウムである。
【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
Ａ）デジタルデータ信号に応答するインクジェットプリンターを用意すること；
Ｂ）前記プリンターに、多孔質インク受容層を上に有する支持体を含んで成るインク受容要素を装填すること；
Ｃ）前記プリンターに、水分散性ポリマーラテックスおよび水溶性染料を含んで成るインクジェットインク組成物を装填すること；そして
Ｄ）前記デジタルデータ信号に応答して、前記インクジェットインクを使用してインク受容要素上に印刷すること；
を含んで成るインクジェット印刷方法。
【手続補正２】
【補正対象書類名】明細書
【補正対象項目名】０００７
【補正方法】変更
【補正の内容】
【０００７】
【課題を解決するための手段】
これらおよび他の目的は、
Ａ）デジタルデータ信号に応答するインクジェットプリンターを用意すること；
Ｂ）前記プリンターに、多孔質インク受容層を上に有する支持体を含んで成るインク受容要素を装填すること；
Ｃ）前記プリンターに、水分散性ポリマーラテックスおよび水溶性染料を含んで成るインクジェットインク組成物を装填すること；そして
Ｄ）前記デジタルデータ信号に応答して、前記インクジェットインクを使用してインク受容要素上に印刷すること；
を含んで成る、インクジェット印刷方法に関する本発明によって達成される。
【手続補正書】
【提出日】平成16年9月7日(2004.9.7)
【手続補正１】
【補正対象書類名】明細書
【補正対象項目名】請求項６
【補正方法】変更
【補正の内容】
【請求項６】
前記後壁（２９）が折れ曲がった延長部を有している、請求項３から５までのいずれか１項記載のインキ装置。
【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
発射信号に応じて１つ以上の複数流体を選択的に放出する流体放出プリントヘッドと、前記流体放出プリントヘッドからの流体を霧化する噴霧器とを有するエアブラシ機構を制御する方法であって、
前記複数流体のうちの少なくとも１つに対応する合成の入力を受け取るステップと、
前記プリントヘッドから前記複数流体を放出するために、前記入力に応じて前記発射信号を生成するステップと、
前記噴霧器に前記複数流体を供給するステップと、
前記複数流体を霧化するステップと、
を含むことを特徴とする方法。
【請求項２】
前記生成するステップの前に、前記合成に対応する前記複数流体のそれぞれに流体小滴の数をマッピングするステップをさらに含むことを特徴とする請求項１に記載の方法。
【請求項３】
前記複数流体の１つが第１の流体を含み、前記複数流体の他が前記第１の流体と混合されたときに性質が時間と共に変化する混合物を構成する第２の流体を含むことを特徴とする請求項１に記載の方法。
【請求項４】
入力信号に応じて１つ以上の複数流体を選択的に放出する流体放出プリントヘッドと、前記流体放出プリントヘッドからの流体を霧化する噴霧器と有するエアブラシ機構を制御するコントローラであって、表示を有する面板で囲まれたトグル・スイッチを有するジョイスティック装置を含み、前記表示の少なくとも１つの方に移動する前記トグル・スイッチが入力信号を生成することを特徴とするコントローラ。
【請求項５】
前記ジョイスティック装置、前記プリントヘッドおよび前記噴霧器を支持する本体をさらに含むことを特徴とする請求項４に記載のコントローラ。
【請求項６】
前記ジョイスティック装置から前記プリントヘッドに前記入力信号を送る導線をさらに含むことを特徴とする請求項４に記載のコントローラ。
【請求項７】
前記複数流体が様々な着色剤を含み、前記面板が前記各着色剤およびそれらの着色剤の組合せをそれぞれ示す表示を有することを特徴とする請求項４に記載のコントローラ。
【請求項８】
前記入力信号の周波数を変化させることによって前記プリントヘッドによって放出される流体小滴の数を変化させる濃度調整部をさらに含むことを特徴とする請求項４に記載のコントローラ。
【請求項９】
前記プリントヘッドによって放出される流体小滴の体積を変化させる濃度調整部をさらに含むことを特徴とする請求項４に記載のコントローラ。
【請求項１０】
入力信号に応じて１つ以上の複数流体を選択的に放出する流体放出プリントヘッドと、前記流体放出プリントヘッドからの流体を霧化する噴霧器と有するエアブラシ機構を制御するコントローラであって、前記複数流体の少なくとも１つに対応する合成の選択に応じて前記入力信号を生成する手動入力装置を含むことを特徴とするコントローラ。
【請求項１１】
前記合成は、選択グループからの第１の選択および性質グループからの第２の選択によって規定される特性を有し、前記手動入力装置は、前記第１の選択および第２の選択の選択に応答して、前記入力信号を発生することを特徴とする請求項１０に記載のコントローラ。
【請求項１２】
前記１つ以上の複数流体は、前記入力信号に応じて、前記合成の単位時間当たりの量内でプリントヘッドから放出され、前記手動入力装置は、前記単位時間当たりの量の選択に応じて前記入力信号を発生することを特徴とする請求項１０に記載のコントローラ。
【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
インクをセンサ上に堆積する印字機構内の前記センサからインク残留物を取り除くクリーニングシステムにおいて、
ヘッドを有し、該ヘッドと前記センサとの相対的な移動によって前記センサからインク残留物を集めるスクレーパー部材と、
複数のクリーニングセグメントを有し、前記ヘッドとの相対的な移動およびかみ合いによって曲がって前記クリーニングセグメントで前記ヘッドからインク残留物を集める柔軟性のある部材と、
前記クリーニングセグメントと接触し、前記クリーニングセグメントからインク残留物の液体部分を吸収する吸収部材と、
を備え、
前記吸収部材が、前記クリーニングセグメントと接触する接触部材と、該接触部材と液通し該接触部材から前記液体部分を受け取る格納部材とを有している、
ことを特徴とするクリーニングシステム。
【請求項２】
前記ヘッドは、前記センサが静止した状態で移動することを特徴とする請求項１に記載のクリーニングシステム。
【請求項３】
前記柔軟性のある部材は、静止状態で支持された２つの対向する端を有し、該２つの対向する端の中間部分が曲がり、
前記ヘッドは、前記柔軟性のある部材が静止した状態で移動することを特徴とする請求項１に記載のクリーニングシステム。
【請求項４】
前記ヘッドは、前記集めたインク残留物を収容するキャビティを内部に画定し、
前記柔軟性のある部材の前記中間部分は、前記かみ合いの間、前記ヘッドのキャビティに入る、
ことを特徴とする請求項３に記載のクリーニングシステム。
【請求項５】
廃インク収集容器をさらに含み、
前記柔軟性のある部材が曲がることによって、前記クリーニングセグメントからインク残留物が取り除かれ、前記柔軟性のある部材が前記ヘッドとのかみ合った状態から曲がって前記取り除いたインク残留物を捕捉するとき、前記収集容器が前記柔軟性のある部材の下に配置されることを特徴とする請求項１に記載のクリーニングシステム。
【請求項６】
前記柔軟性のある部材は、前記複数のクリーニングセグメントを形成する複数のコイルを有するばねを備えることを特徴とする請求項１に記載のクリーニングシステム。
【請求項７】
前記センサは、堆積しているインクの存在を検出する静電滴検出器を備えることを特徴とする請求項１に記載のクリーニングシステム。
【請求項８】
インクをセンサ上に堆積する印字機構内の前記センサからインク残留物を取り除くクリーニングシステムにおいて、
ヘッドを有し、該ヘッドと前記センサとの相対的な移動によって前記センサからインク残留物を集めるスクレーパー部材と、
複数のクリーニングセグメントを有し、前記ヘッドとの相対的な移動およびかみ合いによって曲がって前記クリーニングセグメントで前記ヘッドからインク残留物を集める柔軟性のある部材と、を備え、
該柔軟性のある部材は、第１のばねおよび第２のばねを含み、前記第１のばねは、内部空間を画定するコイルばねであり、前記第２のばねは、前記第１のばねの前記内部空間内に配置されたコイルばねであることを特徴とするクリーニングシステム。
【請求項９】
インクをセンサ上に堆積する印字機構内の前記センサからインク残留物を取り除くクリーニングシステムにおいて、
ヘッドを有し、該ヘッドと前記センサとの相対的な移動によって前記センサからインク残留物を集めるスクレーパー部材と、
複数のクリーニングセグメントを有し、前記ヘッドとの相対的な移動およびかみ合いによって曲がって前記クリーニングセグメントで前記ヘッドからインク残留物を集める柔軟性のある部材と、を備え、
前記ヘッドは、前記インク残留物を集めている間に前記センサと接触する第１の部材と、第２の部材と、を備え、
前記第１の部材および前記第２の部材によって前記集めたインク残留物を受け取るキャビティを画定し、
前記ヘッドの前記第２の部材は前記センサの上面に延びて、前記集めたインク残留物を前記第２の部材の下に閉じ込める、
ことを特徴とするクリーニングシステム。
【請求項１０】
インクジェット印字機構において、
インクを選択的に噴出するインクジェットプリントヘッドと、
前記プリントヘッドからのインクを受け取るように配置されたセンサであって、センサ上にインク残留物の蓄積が残るセンサと、
センサクリーニングシステムであって、ヘッドを有し該ヘッドとセンサとの相対的な移動によって該センサからインク残留物を集めるスクレーパー部材と、複数のクリーニングセグメントを有し前記ヘッドとの相対的な移動およびかみ合いによって曲がって前記クリーニングセグメントで前記ヘッドからインク残留物を集める柔軟性のある部材と、を有するセンサクリーニングシステムと、
を備え、
前記柔軟性のある部材は、第１のばねおよび第２のばねを備えており、前記第１のばねは内部空間を画定するコイルばねであり、前記第２のばねは前記第１のばねの前記内部空間内に配置されたコイルばねである、
ことを特徴とするインクジェット印字機構。
【手続補正書】
【提出日】平成16年4月16日(2004.4.16)
【手続補正１】
【補正対象書類名】明細書
【補正対象項目名】特許請求の範囲
【補正方法】変更
【補正の内容】
【特許請求の範囲】
【請求項１】
巻き取り紙を受け入れこれに印刷するよう形成された感熱プリンタであって、感熱プリントヘッドと、上記巻き取り紙が上記感熱プリンタに受け入れられたとき上記感熱プリントヘッドと上記巻き取り紙との間に配置され犠牲部材とを備え、
上記犠牲部材は、概して上記巻き取り紙が上記感熱プリントヘッドに直接係合するのを妨ぎ、メービウス形状であるか、無端状であるか、あるいは固定されたものであることを特徴とする感熱プリンタ。
【請求項２】
上記巻き取り紙と上記犠牲部材とに作用する速度差動器であって、上記犠牲部材を上記巻き取り紙より遅い速度で駆動するよう形成された速度差動器をさらに備えた請求項１記載の感熱プリンタ。
【請求項３】
上記犠牲部材を概して緊張状態に保持するよう形成された請求項１記載の感熱プリンタ。
【請求項４】
プラテンローラをさらに備え、上記犠牲部材が上記感熱プリントヘッドと上記プラテンローラとの間に配置される請求項１記載の感熱プリンタ。
【請求項５】
上記犠牲部材が、循環可能なベルトからなる請求項１記載の感熱プリンタ。
【請求項６】
上記犠牲部材が、循環可能な連続のベルトからなると共に、上記感熱プリントヘッドに加え少なくとも一つのローラによって支持される請求項１記載の感熱プリンタ。
【請求項７】
上記犠牲部材がメービウスの帯を含むベルトからなる請求項１記載の感熱プリンタ。
【請求項８】
上記犠牲部材に係合し上記メービウスの帯を維持する少なくとも一つのローラを備える請求項７記載の感熱プリンタ。
【請求項９】
上記犠牲部材が、着色されないリボンからなる請求項１記載の感熱プリンタ。
【請求項１０】
上記犠牲層は、上記巻き取り紙と熱転写リボンとの間に配置される請求項１記載の感熱プリンタ。
【手続補正書】
【提出日】平成17年6月20日(2005.6.20)
【手続補正１】
【補正対象書類名】明細書
【補正対象項目名】発明の名称
【補正方法】変更
【補正の内容】
【発明の名称】管ライニング材表面部材
【手続補正２】
【補正対象書類名】明細書
【補正対象項目名】特許請求の範囲
【補正方法】変更
【補正の内容】
【特許請求の範囲】
【請求項１】
管状断熱材の内外周面を気密性の高いプラスチックフィルムで被覆して成ることを特徴とする管ライニング材表面部材。
【請求項２】
前記プラスチックフィルムをポリエチレン又はポリエチレンを含む複合フィルムで構成したことを特徴とする請求項１記載の管ライニング材表面部材。
【請求項３】
前記管状断熱部材を織布又は不織布で構成したことを特徴とする請求項１記載の管ライニング材表面部材。
【手続補正３】
【補正対象書類名】明細書
【補正対象項目名】０００１
【補正方法】変更
【補正の内容】
【０００１】
【発明の属する技術分野】
本発明は、老朽化した管路の内周面にライニングを施して該管路を更生する管ライニング材の表面部材に関する。
【手続補正４】
【補正対象書類名】明細書
【補正対象項目名】０００７
【補正方法】変更
【補正の内容】
【０００７】
本発明は上記問題に鑑みてなされたもので、その目的とする処は、管路内への地下水等の浸入があっても、管路側への熱伝導を遮断して管ライニング材の硬化不良を確実に防ぐことができる管ライニング材表面部材を提供することにある。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００３９
【補正方法】変更
【補正の内容】
【００３９】
【発明の効果】
以上の説明で明らかなように、本発明によれば、管路と管ライニング材との間に介在する管ライニング材表面部材の内外周面が気密性の高いプラスチックフィルムで被覆されているため、管路内への地下水等の浸入があっても、地下水等の管ライニング材表面部材への染み込みが防がれ、該管ライニング材表面部材による高い断熱効果が確保されて管路側への熱伝導が遮断され、管ライニング材が十分加熱されてこれに含浸された熱硬化性樹脂の硬化不良が確実に防がれるという効果が得られる。
【手続補正書】
【提出日】平成17年1月13日(2005.1.13)
【手続補正１】
【補正対象書類名】明細書
【補正対象項目名】００１２
【補正方法】変更
【補正の内容】
【００１２】
当業者であれば容易に分かるように、本発明は、多くの利点および用途を提供する。ここに開示された実施形態を使用して、本発明は、再分離および浮揚段階中に受け側同士が貼り付く傾向にある時に、シートの供給確率を向上させることができる。また、これら実施形態は、幾つかの受け側に関する供給性能を向上させることができる、スタックの浮揚していない（unfluffed）部分の上端レベルの良好な制御を提供することができる。典型的な実施形態は、レベル制御特性を使用し、したがって、必要に応じて別個のインクリメントを導入する。
【手続補正２】
【補正対象書類名】明細書
【補正対象項目名】００３３
【補正方法】変更
【補正の内容】
【００３３】
しかしながら、他の典型的な実施形態において、二次インクリメントは、最後の一次インクリメント後に所定数のシートが供給された時に発生されても良い。供給されるシートの所定数Ｆは、以下の関係、すなわち、Ｆ＝［（ＦＳＰＭ）＋（ＰＳ／２）］／ＰＳにより、サンプリング状態７４において計算することもできる。ここで、ＦＳはサンプル期間中の送り数であり、ＰＳはサンプル期間中の一次インクリメントの回数であり、ＰＭはスケーリングファクタである。この実施形態において、望ましい場合には、ＰＭは、一般に一次インクリメント下で生じるよりも少ない頻度で二次インクリメントを生じさせるために、スケーリングファクタとして使用することができる。したがって、例えば、ＰＭが２に設定される先に説明した典型的な実施形態にしたがって、サンプル期間中に生じるシートの送り数は、サンプル期間中に先に測定された送り数の事実上２倍である。
【手続補正３】
【補正対象書類名】明細書
【補正対象項目名】００３４
【補正方法】変更
【補正の内容】
【００３４】
他の典型的な実施形態において、二次インクリメントの大きさは、一般的な一次インクリメントの大きさと同じか、小さいか、あるいは、大きくなり得る。この特定サイズの二次インクリメントは、以下の関係、すなわち、Ｓ＝［（ＳＳ−ＳＥ）＋（（ＰＳＰＤ）／２）］／ＰＳＰＤにより、例えばサンプリング状態７４において決定される。ここで、ＳＳはサンプル開始時の昇降カウンタであり、ＳＥはサンプル終了時の昇降カウンタであり、ＰＳはサンプル期間中の一次インクリメントの回数であり、ＰＤはスケーリングファクタである。この実施形態において、望ましい場合には、ＰＤは、二次インクリメントのサイズを一次インクリメント下でしばしば生じる大きさと同じに、あるいは、より小さく、あるいは、より大きくするために、スケーリングファクタとして使用することができる。したがって、例えば、ＰＤが１／２に設定される先に説明した典型的な実施形態にしたがって、二次インクリメントの大きさは、通常一次インクリメント下で生じる大きさの２倍となる。
【手続補正４】
【補正対象書類名】明細書
【補正対象項目名】００３５
【補正方法】変更
【補正の内容】
【００３５】
以下は、前述した処分状態７２およびサンプリング状態７４のプロセスの典型的な説明である。複写プロセスの開始時に、与えられたシートスタックから、プラットフォーム１４のインクリメンティング間で供給されるシートの平均数が決定されることが好ましい。これは、初期の一次インクリメント後、特定のその後の一次インクリメントまでに供給されたシートの数を計算することによって達成できる。正圧エアー源ＰがＯＮされる前、したがって、スタックが浮揚する前に、用紙のレベルが規定されていても良い場合、計算された初期の一次インクリメントは、異常になり易いため、処分されることが好ましい。典型的な実施形態において、サンプリング期間中に使用するのに最適なインクリメントの特定数の値は、かなり正確な平均値を得るために十分大きくなければならないが、できる限り早く制御状態７６に入ることができるように十分小さくなければならない。
【手続補正５】
【補正対象書類名】明細書
【補正対象項目名】００４２
【補正方法】変更
【補正の内容】
【００４２】
ステップ１５８では、最後の一次インクリメント後に供給されたシートの数が、インクリメント毎に供給される既知のシートよりも大きいか或は等しい場合、二次インクリメントが発生される。典型的な実施形態において、インクリメントのサイズは、以下の関係、すなわち、Ｓ＝［（ＳＳ−ＳＥ）＋（（ＰＳＰＤ）／２）］／(ＰＳＰＤ)によって与えられる。ここで、ＳＳはサンプル開始時の昇降カウンタであり、ＳＥはサンプル終了時の昇降カウンタであり、ＰＳはサンプル期間中の一次インクリメントの回数であり、ＰＤはスケーリングファクタである。
【手続補正６】
【補正対象書類名】明細書
【補正対象項目名】００４７
【補正方法】変更
【補正の内容】
【００４７】
ここに開示された実施形態は、多くの利点および用途を提供する。ここに開示された実施形態を使用して、本発明は、再分離および浮揚段階中に受け側同士が貼り付く傾向にある時に、シートの供給確率を向上させることができる。また、これら実施形態は、幾つかの受け側に関する供給性能を向上させることができる、スタックの浮揚した部分の上端レベルの良好な制御を提供する。典型的な実施形態は、レベル制御特性を使用し、したがって、必要に応じて別個のインクリメントを導入する。
【手続補正書】
【提出日】平成17年3月22日(2005.3.22)
【手続補正１】
【補正対象書類名】明細書
【補正対象項目名】発明の名称
【補正方法】変更
【補正の内容】
【発明の名称】光半導体記憶装置
【手続補正２】
【補正対象書類名】明細書
【補正対象項目名】特許請求の範囲
【補正方法】変更
【補正の内容】
【特許請求の範囲】
【請求項１】
第１の導電層と、
前記第１の導電層の上に形成された半導体層と、
前記半導体層内に形成された量子ドットと、
前記半導体層の上に形成され、前記第１の導電層との間に電界が印加される第２の導電層と
を有することを特徴とする光半導体記憶装置。
【請求項２】
第１導電型不純物を含有する第１の半導体層と、
前記第１の半導体層上に形成されたキャリア障壁半導体層と、
前記キャリア障壁半導体層内に形成された量子ドットと
を有することを特徴とする光半導体記憶装置。
【請求項３】
前記量子ドットは、大きさを異ならせて複数個存在することを特徴とする請求項２記載の光半導体記憶装置。
【請求項４】
前記キャリア障壁半導体層は、アンドープ半導体又は第２導電型不純物含有半導体から形成されることを特徴とする請求項２記載の光半導体記憶装置。
【請求項５】
前記キャリア障壁半導体層上には、前記キャリア障壁半導体層にショットキー接触する金属層又は第２導電型不純物を含有する第２の半導体層のいずれかが形成されていることを特徴とする請求項２記載の光半導体記憶装置。
【請求項６】
前記量子ドットの伝導帯又は価電子帯の量子準位と前記第１の半導体層の伝導帯又は価電子帯とがエネルギー的に分離されていることを特徴とする請求項４又は５記載の光半導体記憶装置。
【請求項７】
前記第１の半導体層と前記キャリア半導体層の間にはアンドープの第３の半導体層が形成されていることを特徴とするする請求項２記載の光半導体記憶装置。
【請求項８】
前記キャリア障壁半導体層は、電界効果トランジスタのチャネル層の上に形成されていることを特徴とする請求項２記載の光半導体記憶装置。
【請求項９】
前記キャリア障壁半導体層は、バイポーラトランジスタのエミッタ層又はベース層を構成していることを特徴とする請求項２記載の光半導体記憶装置。
【請求項１０】
前記バイポーラトランジスタのコレクタ層の一部又は全部のエネルギーバンドギャップは、前記量子ドットの伝導帯と価電子帯の基底準位間のエネルギー差よりも小さいことを特徴とする請求項９記載の光半導体記憶装置。
【請求項１１】
前記バイポーラトランジスタのコレクタ層と前記ベース層の間にはアンドープ半導体層が形成され、該アンドープ半導体層のエネルギーバンドギャップは、前記量子ドットの伝導帯と価電子帯の基底準位間のエネルギー差よりも小さいことを特徴とする請求項９記載の光半導体記憶装置。
【請求項１２】
前記バイポーラトランジスタのエミッタ層には複数のエミッタ電極が形成され、コレクタ層にはコレクタ電極が形成されていることを特徴とする請求項９記載の光半導体記憶装置。
【請求項１３】
前記キャリア障壁半導体層は、ｐｉｎ接合型フォトダイオードのｉ層を構成していることを特徴とする請求項２記載の光半導体記憶装置。
【請求項１４】
前記キャリア障壁半導体層は、発光素子の上に形成されていることを特徴とする請求項２記載の光半導体記憶装置。
【請求項１５】
前記量子ドットは、前記キャリア障壁半導体層の厚さ方向に複数個存在することを特徴とする請求項２記載の光半導体記憶装置。
【請求項１６】
複数の前記量子ドットは、膜厚方向に径が異なることを特徴とする請求項１５記載の光半導体装置。
【請求項１７】
前記量子ドットのうちの前記キャリアの移動方向と反対側には、ホールバーニング状態の前記量子ドット内に溜まる正孔又は電子の移動を妨げる障壁層が形成されていることを特徴とする請求項１５記載の光半導体装置。
【請求項１８】
前記キャリア障壁半導体層は複数の能動素子の一部に形成され、幾つかの該能動素子の前記半導体層は遮光膜で覆われていることを特徴とする請求項２記載の光半導体記憶装置。
【手続補正３】
【補正対象書類名】明細書
【補正対象項目名】０００１
【補正方法】変更
【補正の内容】
【０００１】
【産業上の利用分野】
本発明は、光半導体記憶装置に関し、より詳しくは量子ドットを有する光半導体記憶装置に関する。
【手続補正４】
【補正対象書類名】明細書
【補正対象項目名】０００９
【補正方法】変更
【補正の内容】
【０００９】
本発明はこのような問題に鑑みてなされたものであって、記録保持時間をさらに長くするとともに、実用可能な光半導体記憶装置を提供することを目的とする。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正書】
【提出日】平成17年7月21日(2005.7.21)
【手続補正１】
【補正対象書類名】明細書
【補正対象項目名】特許請求の範囲
【補正方法】変更
【補正の内容】
【特許請求の範囲】
【請求項１】
垂直方向に沿う一対のヘッダー間に、両端を両ヘッダーに連通接続する複数の熱交換管路が並列状に配置されたコアを有し、そのコアの上位に凝縮部が設けられるとともに、下位にサブクール部が設けられた熱交換器と、
パイプ状のタンク本体と、そのタンク本体の一端側及び他端側開口部に閉塞状に固定される一端側及び他端側ジョイントブロックとを有するレシーバータンクとを備え、
前記一端側ジョイントブロックが一方側ヘッダーの凝縮部冷媒出口に対応する位置に固定されるとともに、他端側ジョイントブロックが一方側ヘッダーのサブクール部冷媒入口に対応する位置に固定され、前記凝縮部冷媒出口から流出した冷媒が、前記一端側ジョイントブロックに設けられた冷媒流入路を通ってタンク本体内に導かれるとともに、タンク本体内の冷媒が、前記他端側ジョイントブロックに設けられた冷媒流出路を通って、前記サブクール部冷媒入口に導かれるよう構成されてなり、
上記両ジョイントブロックのうち少なくともいずれか一方に、前記タンク本体の内部に通じ、かつ、乾燥剤、フィルター等のタンク内装品を挿通し得る大きさのタンク内装品収容作業用貫通孔が設けられるとともに、その貫通孔に閉塞部材が着脱自在に取り付けられてなることを特徴とするサブクールシステムコンデンサ。
【請求項２】
前記タンク内装品収容作業用貫通孔が、前記両ジョイントブロックのうち下側に配置されるジョイントブロックに前記タンク本体の軸方向に沿って設けられるとともに、
前記冷媒流出路が、前記下側のジョイントブロックに前記タンク内装品収容作業用貫通孔に連通する態様に設けられ、
前記閉塞部材の内面に、前記タンク本体の軸方向に沿って上方に延びるフィルター位置保持突起が設けられ、
前記フィルター位置保持突起により、前記タンク本体内に収容されたフィルターが持ち上げ状態に支持されて、前記フィルターの下端が前記冷媒流出路よりも上位に配置されるとともに、前記タンク内装品収容作業用貫通孔の内部における前記フィルターと前記閉塞部材との間に、前記フィルターを通過した冷媒を前記冷媒流出路に導くための冷媒流通路が設けられてなる請求項１記載のサブクールシステムコンデンサ。
【請求項３】
垂直方向に沿う一対のヘッダー間に、両端を両ヘッダーに連通接続する複数の熱交換管路が並列状に配置されたコアを有し、そのコアの上位に凝縮部が設けられるとともに、下位にサブクール部が設けられた熱交換器と、
パイプ状のタンク本体を有するレシーバタンクとを備え、
前記凝縮部から流出した冷媒が、前記レシーバタンクのタンク本体内に導かれるとともに、タンク本体内の冷媒が前記サブクール部に導かれるよう構成されてなり、
前記レシーバタンクに、前記タンク本体の内部に通じ、かつ、乾燥剤、フィルター等のタンク内装品を挿通し得る大きさのタンク内装品収容作業用貫通孔が設けられるとともに、その貫通孔に閉塞部材が着脱自在に取り付けられてなることを特徴とするサブクールシステムコンデンサ。
【請求項４】
前記タンク本体内の冷媒を前記サブクール部に導くための冷媒流出路が、前記レシーバタンクに前記タンク内装品収容作業用貫通孔に連通する態様に設けられ、
前記タンク内装品収容作業用貫通孔の内部におけるフィルターと前記閉塞部材との間に、前記フィルターを通過した冷媒を前記冷媒流出路に導くための冷媒流通路が設けられてなる請求項３記載のサブクールシステムコンデンサ。
【請求項５】
垂直方向に沿う一対のヘッダー間に、両端を両ヘッダーに連通接続する複数の熱交換管路が並列状に配置されたコアを有し、そのコアの上位に凝縮部が設けられるとともに、下位にサブクール部が設けられた熱交換器と、
パイプ状のタンク本体と、そのタンク本体の端部開口部に閉塞状に固定されるジョイントブロックとを有するレシーバータンクとを備え、
前記ジョイントブロックが一方側ヘッダーのサブクール部冷媒入口に対応する位置に固定され、前記凝縮部冷媒出口から流出した冷媒が、前記タンク本体内に導かれるとともに、タンク本体内の冷媒が、前記ジョイントブロックに設けられた冷媒流出路を通って、前記サブクール部冷媒入口に導かれるよう構成されてなり、
前記ジョイントブロックに、前記タンク本体の内部に通じ、かつ、乾燥剤、フィルター等のタンク内装品を挿通し得る大きさのタンク内装品収容作業用貫通孔が設けられるとともに、その貫通孔に閉塞部材が着脱自在に取り付けられてなることを特徴とするサブクールシステムコンデンサ。
【請求項６】
前記冷媒流出路が、前記ジョイントブロックに前記タンク内装品収容作業用貫通孔に連通する態様に設けられ、
前記タンク内装品収容作業用貫通孔の内部におけるフィルターと前記閉塞部材との間に、前記フィルターを通過した冷媒を前記冷媒流出路に導くための冷媒流通路が設けられてなる請求項５記載のサブクールシステムコンデンサ。
【請求項７】
請求項１〜６のいずれか１項に記載のサブクールシステムコンデンサを備えたことを特徴とするカークーラー。
【手続補正書】
【提出日】平成17年8月22日(2005.8.22)
【手続補正１】
【補正対象書類名】明細書
【補正対象項目名】００４９
【補正方法】変更
【補正の内容】
【００４９】
前記外側および内側シール板は内周辺または外周辺をスリーブ外輪や軸、内輪とは非接触としてあるので、摩擦による回転トルクの増大や発熱を防止することができるという利点もある。
【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
個々に番号が付された複数のバルブを備えそれらのバルブから液体を密封容器に充填する充填機により液体を充填した密封容器に、Ｘ線源よりＸ線を照射し、その透過線量の変化を複数のＸ線検出器群より検出し、前記密封容器内の液面の高さが所定の高さに達しているか否かを検知するＸ線液量検査装置において、
前記密封容器内の液面の高さが所定の高さに達していない液量不足の密封容器を検知した場合、その液量不足の密封容器へ充填した充填機のバルブの番号を当該密封容器に印字する手段を具備したことを特徴とするＸ線液量検査装置。
【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
認識対象化合物、機能性モノマーおよび架橋剤を含む反応混合物をバイアル中で重合させてバイアル内に生成ポリマーの薄膜を形成させ、
バイアル内を洗浄して認識対象化合物等を生成ポリマーから除去し、
バイアル内へ該認識対象化合物と同一または異なる認識対象化合物の溶液を注入した後、
該溶液の上清液中に含まれる未結合の認識対象化合物の量を測定し、その結果に基づいて人工レセプターを評価することを特徴とする人工レセプターの評価方法。
【請求項２】
認識対象化合物、機能性モノマーおよび架橋剤を含む反応混合物をバイアル中で重合させてバイアル内に生成ポリマーの薄膜を形成させた後、
該反応混合物の上清液中に含まれる未結合の認識対象化合物の量を測定し、その結果に基づいて人工レセプターを評価することを特徴とする人工レセプターの評価方法。
【請求項３】
使用されるバイアルが複数である請求項１または２に記載の評価方法。
【請求項４】
コンビナトリアルケミストリーの手法により行なわれる請求項３に記載の評価方法。
【請求項５】
請求項１〜４のいずれか１項に記載の評価方法により選択された人工レセプター。
【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
光源としてのランプと、このランプを内設するランプハウスと、このランプハウスを空冷するファンとを備え、ランプハウスからの光を分析機器に投光するようにした分析機器の光源装置において、前記ランプハウスの温度を検出するセンサと、このセンサの出力信号によって前記ファンの回転数を制御する制御手段を設けてランプハウスの温度を所定の温度になるように制御するとともに、この制御手段にはランプの点灯開始後ランプハウスの温度が所定の温度に達するまではファンの回転を停止または少ない回転数に制御する機能を設け、ランプの温度が点灯後短時間に所定の温度に達するようにしたことを特徴とする分析機器用光源装置。
【請求項２】
請求項１の分析機器用光源装置において、ランプの温度が所定の温度に達したあとも、前記ランプハウスの温度を検出するセンサは前記ランプハウスの温度の変化を感知し、前記制御手段が前記ランプハウスの温度を所定の温度に保つようにしたことを特徴とする分析機器用光源装置。
【手続補正２】
【補正対象書類名】明細書
【補正対象項目名】０００５
【補正方法】変更
【補正の内容】
【０００５】
【課題を解決するための手段】上記課題を解決するために、分析機器用光源装置は、光源としてのランプと、このランプを内設するランプハウスと、このランプハウスを空冷するファンとを備え、ランプハウスからの光を分析機器に投光するようにした分析機器の光源装置において、前記ランプハウスの温度を検出するセンサと、このセンサの出力信号によって前記ファンの回転数を制御する制御手段を設けてランプハウスの温度を所定の温度になるように制御するとともに、この制御手段にはランプの点灯開始後ランプハウスの温度が所定の温度に達するまではファンの回転を停止または少ない回転数に制御する機能を設け、ランプの温度が点灯後短時間に所定の温度に達するようにしたことを特徴とする。さらに、ランプの温度が所定の温度に達したあとも、前記ランプハウスの温度を検出するセンサは前記ランプハウスの温度の変化を感知し、前記制御手段が前記ランプハウスの温度を所定の温度に保つようにしたことを特徴とする。
【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  所定位置に配置される容器から液体を吸引する液体吸引装置において、
先端が鋭利形成され液体を吸引することができる液体吸引管と、
液体吸引管を保持し上下方向に移動する第１の保持部と、
第１の保持部を上下移動させるための力を提供する第１の駆動源と、
第１の保持部と係合しこれを押圧し上下方向に移動する第２の保持部と、
第２の保持部を上下移動させるための力を提供する第２の駆動源と、
上記これら手段を制御する制御手段と、を備え、
制御手段は、栓体なしの容器に対しては第１の保持部を第２の保持部と係合させずに第１の駆動源の力によって上下移動させ、栓体ありの容器に対しては第１の保持部を第２の保持部と係合させて第２の駆動源の力によって上下移動させるよう制御することを特徴とする液体吸引装置。
【請求項２】  第１の駆動源の力により液体吸引管が容器に向かって移動したときに液体吸引管に上向きの外力が作用したことを検知する外力検知手段と、液体吸引管先端部分が液面に到達したことを検知する液面検知手段を備え、
制御手段は、上記外力が検知されなかった場合、液面検知手段による液面検知情報又は外力検知手段による外力検知情報に基いて第１の駆動源を停止させ、上記外力が検知された場合、液面検知手段による液面検知情報に基いて第２の駆動源を停止させることを特徴とする請求項１記載の液体吸引装置。
【請求項３】  液体吸引管の管先端に斜めカット面が形成され、その斜めカット面における管内壁端に鋭角エッジが生じないよう構成されてなることを特徴とする請求項１記載の液体吸引装置。
【手続補正書】
【提出日】平成17年5月26日(2005.5.26)
【手続補正１】
【補正対象書類名】明細書
【補正対象項目名】０１０２
【補正方法】変更
【補正の内容】
【０１０２】
従って、図１１に示す閉弁状態から、荷役レバー４３が油路４５をオイルタンク１４に開放する方向へ操作されると、ポペット５１の大径部５１ｄの後端面にオイルタンク圧（約１気圧）が作用することになるため、ポペット５１は先端側円環状部分で受ける負荷圧Ｐによって、リターンスプリング５２の付勢力に抗して開弁し始める。ポペット５１が少し開弁すると油路４５へ流出した作動油の油圧によってその前端面全体にほぼ負荷圧Ｐに近い圧力がかかることになるが、貫通孔５１ｆによって後端面側の油室７９と連通されているためポペット５１の後端面にも同じ値の圧力がかかる。
【手続補正２】
【補正対象書類名】明細書
【補正対象項目名】０１１７
【補正方法】変更
【補正の内容】
【０１１７】
この実施形態は、前記第９の実施形態とほぼ基本原理は同じで、ポペット５１の閉弁速度を速くする機構を備えた変形例である。図１３に示すように、要素弁１９は、ポペット５１、リターンスプリング５２、プラグ５３、ダンパピストン８６を備える。この実施形態のポペット５１は有底円筒状で、その後面側にダンパピストン８６が嵌着されている。
【手続補正３】
【補正対象書類名】明細書
【補正対象項目名】０１４６
【補正方法】変更
【補正の内容】
【０１４６】
（３）前記（２）において、前記初期加速度抑制手段は前記ポペットが開弁し始めたときの開度速度を小さく抑える開弁速度抑制手段である。
（４）前記（３）において、前記開弁速度抑制手段は、前記ポペットが開弁し始めたときにその開弁した隙間を通り抜ける作動油の流量を小さく抑える流量抑制手段である。
【手続補正書】
【提出日】平成17年4月6日(2005.4.6)
【手続補正１】
【補正対象書類名】明細書
【補正対象項目名】００１２
【補正方法】変更
【補正の内容】
【００１２】
また、ＥＣＵ１１にはシフトレジスタ１８が設けられている。シフトレジスタ１８は３つの１ビット記憶素子１８ａ〜１８ｃを有している。シフトレジスタ１８には電磁ピックアップ５の出力が供給される。電磁ピックアップ５は回転体２の回転速度の半分の速度で回転する回転体３の凸部３ａが接近するとシリンダパルスを発生する。そのシリンダパルスがシフトレジスタ１８に供給されると、１を示すビットデータがシフトレジスタ１８内のバッファ（図示せず）に一旦記憶され、クランクパルスに同期してその１を示すビットデータが記憶素子１８ａに記憶される。シリンダパルスが供給されないときには、０を示すビットデータが上記のバッファに記憶され、クランクパルスに同期してその０を示すビットデータが記憶素子１８ａに記憶される。また、クランクパルスに同期して記憶素子１８ａ，１８ｂに各々記憶されたビットデータが１ビットだけ記憶素子１８ｃ側にシフトする。シフトレジスタ１８の各記憶素子１８ａ〜１８ｃの各記憶出力はバスＢＵＳに接続されている。
【手続補正書】
【提出日】平成16年4月9日(2004.4.9)
【手続補正１】
【補正対象書類名】明細書
【補正対象項目名】０００８
【補正方法】変更
【補正の内容】
【０００８】
【発明が解決しようとする課題】
弾性率が小さく、柔軟性、光線透過性等に優れたフッ素樹脂のフィルムである農業用被覆資材を提供する。


【手続補正２】
【補正対象書類名】明細書
【補正対象項目名】００１４
【補正方法】変更
【補正の内容】
【００１４】
含フッ素共重合体のフィルムをハウスの骨組に容易に固定するために、含フッ素共重合体は柔軟性であることが好まし。その指標としての動的弾性率は、１〜７０（ｋｇ／ｍｍ2 ）の範囲が好ましく、特に３〜６０（ｋｇ／ｍｍ2 ）の範囲が好ましい。


【手続補正３】
【補正対象書類名】明細書
【補正対象項目名】００１９
【補正方法】変更
【補正の内容】
【００１９】
親水性重合体としては、ポリビニルアルコールや、−ＳＯ3 Ｈ、−ＣＯＯＨ、−ＮＨ2 、−ＣＮ、−（ＯＣＨ2 ＣＨ2 ）n −等の一般に親水性の官能基を有する重合体が含まれる。また、界面活性剤としては、アニオン系、カチオン系、ノニオン系のいずれの界面活性剤であってもよい。


【手続補正４】
【補正対象書類名】明細書
【補正対象項目名】００２２
【補正方法】変更
【補正の内容】
【００２２】
柔軟性の指標である動的弾性率は、動的粘弾性測定装置（東洋精機製、型式レオログラフソリッドＬ−１）を用い測定した２５℃での値である。


【手続補正５】
【補正対象書類名】明細書
【補正対象項目名】００３２
【補正方法】変更
【補正の内容】
【００３２】
［例５］（比較例）
テトラフルオロエチレンに基づく重合単位／エチレンに基づく重合単位が５３／４７（モル％）の組成である含フッ素共重合体（アフロンＣＯＰ  Ｃ−８８ＡＸＰ、旭硝子製）を３２０℃で押出した厚さ６０μｍのフィルムを例１と同様にして評価した。その結果を表１に示す。


【手続補正６】
【補正対象書類名】明細書
【補正対象項目名】００３３
【補正方法】変更
【補正の内容】
【００３３】
［例６］（比較例）
フッ化ビニル系重合体の厚さ５０μｍのフィルム（テドラー２００ＳＧ４０ＴＲ、デュポン社製）を例１と同様にして測定し、評価した。その結果を表１に示す。
【手続補正書】
【提出日】平成16年4月9日(2004.4.9)
【手続補正１】
【補正対象書類名】明細書
【補正対象項目名】０００８
【補正方法】変更
【補正の内容】
【０００８】
【発明が解決しようとする課題】
弾性率が小さく、柔軟性、光線透過性等に優れたフッ素樹脂のフィルムである農業用被覆資材を提供する。


【手続補正２】
【補正対象書類名】明細書
【補正対象項目名】００１３
【補正方法】変更
【補正の内容】
【００１３】
含フッ素共重合体のフィルムをハウスの骨組に容易に固定するために、含フッ素共重合体は柔軟性であることが好まし。その指標としての動的弾性率は、１〜７０（ｋｇ／ｍｍ2 ）の範囲が好ましく、特に３〜６０（ｋｇ／ｍｍ2 ）の範囲が好ましい。


【手続補正３】
【補正対象書類名】明細書
【補正対象項目名】００１８
【補正方法】変更
【補正の内容】
【００１８】
親水性重合体としては、ポリビニルアルコールや、−ＳＯ3 Ｈ、−ＣＯＯＨ、−ＮＨ2 、−ＣＮ、−（ＯＣＨ2 ＣＨ2 ）n −等の一般に親水性の官能基を有する重合体が含まれる。また、界面活性剤としては、アニオン系、カチオン系、ノニオン系のいずれの界面活性剤であってもよい。


【手続補正４】
【補正対象書類名】明細書
【補正対象項目名】００２１
【補正方法】変更
【補正の内容】
【００２１】
柔軟性の指標である動的弾性率は、動的粘弾性測定装置（東洋精機製、型式レオログラフソリッドＬ−１）を用い測定した２５℃での値である。
【手続補正書】
【提出日】平成17年4月27日(2005.4.27)
【手続補正１】
【補正対象書類名】明細書
【補正対象項目名】請求項１
【補正方法】変更
【補正の内容】
【請求項１】
（Ａ）ＡＢＳ系樹脂、
（Ｂ）一般式（Ｉ）：
【化１】
1999343382.tif 000001
〔式中、Ｒ1 〜Ｒ4 は、同一または異なって水素原子または炭素数１〜３のアルキル基（ただし、Ｒ1 〜Ｒ4 はすべて水素原子であることはない）、Ｘは結合手、−ＣＨ2 −、−Ｃ（ＣＨ3)2 −、−Ｓ−、−ＳＯ2 −、−Ｏ−、−ＣＯ−または−Ｎ＝Ｎ−、ｎは０または１の整数、ｍは０〜５の整数〕
で表される融点が８０℃以上の芳香族リン酸エステル、および
（Ｃ）ノボラック型フェノール樹脂
を含有することを特徴とする難燃性樹脂組成物。
【手続補正２】
【補正対象書類名】明細書
【補正対象項目名】００１１
【補正方法】変更
【補正の内容】
【００１１】
〔式中、Ｒ1 〜Ｒ4 は、同一または異なって水素原子または炭素数１〜３のアルキル基（ただし、Ｒ1 〜Ｒ4 はすべて水素原子であることはない）、Ｘは結合手、−ＣＨ2 −、−Ｃ（ＣＨ3)2 −、−Ｓ−、−ＳＯ2 −、−Ｏ−、−ＣＯ−または−Ｎ＝Ｎ−、ｎは０または１の整数、ｍは０〜５の整数〕
で表される融点が８０℃以上の芳香族リン酸エステル、および
（Ｃ）ノボラック型フェノール樹脂
を含有することを特徴とする難燃性樹脂組成物が提供される。
【手続補正３】
【補正対象書類名】明細書
【補正対象項目名】００１６
【補正方法】変更
【補正の内容】
【００１６】
成分（Ａ）のＡＢＳ系樹脂は、本発明の樹脂組成物の物性を損なわない範囲でポリアクリレート、ポリブタジエン、ポリスチレン、ポリフェニレンエーテル、ポリフェニレンスルフィド、ポリカーボネート、ポリエーテルスルホン、ポリアミド、ポリイミド、ポリ塩化ビニルなどの他の樹脂を含有していてもよい。なかでもポリフェニレンエーテルは得られる樹脂組成物の耐衝撃性を向上させることができる。
【手続補正４】
【補正対象書類名】明細書
【補正対象項目名】００３２
【補正方法】変更
【補正の内容】
【００３２】
本発明の難燃性樹脂組成物は、必要に応じて該組成物の物性を損なわない範囲で、他の難燃剤、酸化防止剤、充填剤、帯電防止剤、補強材、安定剤、滑剤、着色剤、可塑剤などの各種添加剤の１種もしくは２種以上を含有してもよい。